(57)【要約】【課題】論理通話パス制御装置と通話パスのスイッチ装置とを分離した構成とした場合であっても、交換機の論理通話パス制御による高度な付加サービスを提供できるようにする。【解決手段】本発明による交換機マッピングシステムは、交換機の論理通話パスモデルをＭＥＧＡＣＯ上の通話パスモデルにマッピングする交換機マッピングシステムであって、前記交換機の論理通話パスモデルにおける構成要素の接続制御を行うことによって、多者間通話に対応する論理通話パスを設定する多者間通話制御手段と、前記多者間通話制御手段が接続制御する前記論理通話パスモデルにおける構成要素を、前記ＭＥＧＡＣＯ上の通信パスモデルにおける構成要素にマッピングするマッピング手段とを備えたことを特徴とする。【選択図】図５
2009200540.tif 000002
【特許請求の範囲】
【請求項１】
交換機の論理通話パスモデルをＭＥＧＡＣＯ上の通話パスモデルにマッピングする交換機マッピングシステムであって、
前記交換機の論理通話パスモデルにおける構成要素の接続制御を行うことによって、多者間通話に対応する論理通話パスを設定する多者間通話制御手段と、
前記多者間通話制御手段が接続制御する前記論理通話パスモデルにおける構成要素を、前記ＭＥＧＡＣＯ上の通信パスモデルにおける構成要素にマッピングするマッピング手段とを
備えたことを特徴とする交換機マッピングシステム。
【請求項２】
多者間通話制御手段は、２者間通話中に、第３者の端末からの要求に応じて、３者間通話に対応する論理通話パスを再設定し、
マッピング手段は、前記多者間通話制御手段が再設定した前記論理通話パスにおける構成要素を、ＭＥＧＡＣＯ上の通信パスモデルにおける構成要素にマッピングすることによって、３者間通話に対応するＭＥＧＡＣＯ上の通話パスを設定する
請求項１記載の交換機マッピングシステム。
【請求項３】
マッピング手段は、論理通話パスモデルにおける論理素子、論理部局間中継器及びミキシングトランクを、ＭＥＧＡＣＯ上の通話パスモデルにおけるコンテキスト、ターミネーション及びトポロジーにマッピングする請求項１又は請求項２記載の交換機マッピングシステム。
【請求項４】
交換機の論理通話パスモデルにおける構成要素の接続制御を行うことによって、発信側と着信側との論理通話パスを設定する基本接続制御手段を備え、
マッピング手段は、多者間通話制御手段及び前記基本接続制御手段が接続制御する前記論理通話パスモデルにおける構成要素を、ＭＥＧＡＣＯ上の通信パスモデルにおける構成要素にマッピングする
請求項１から請求項３のうちのいずれか１項に記載の交換機マッピングシステム。
【請求項５】
交換機の論理通話パスモデルを制御する論理通話パス制御ノードと、
前記論理通話パス制御ノードとは別ノードとして、ＭＥＧＡＣＯ上の通話パスモデルを制御する通話パス制御ノードとを備えた
請求項１から請求項４のうちのいずれか１項に記載の交換機マッピングシステム。
【請求項６】
交換機の論理通話パスモデルをＭＥＧＡＣＯ上の通話パスモデルにマッピングする交換機マッピング方法を用いた交換機であって、
当該交換機の論理通話パスモデルにおける構成要素の接続制御を行うことによって、多者間通話に対応する論理通話パスを設定する多者間通話制御手段と、
前記多者間通話制御手段が接続制御する前記論理通話パスモデルにおける構成要素を、前記ＭＥＧＡＣＯ上の通信パスモデルにおける構成要素にマッピングするマッピング手段とを
備えたことを特徴とする交換機。
【請求項７】
多者間通話制御手段は、２者間通話中に、第３者の端末からの要求に応じて、３者間通話に対応する論理通話パスを再設定し、
マッピング手段は、前記多者間通話制御手段が再設定した前記論理通話パスにおける構成要素を、ＭＥＧＡＣＯ上の通信パスモデルにおける構成要素にマッピングすることによって、３者間通話に対応するＭＥＧＡＣＯ上の通話パスを設定する
請求項６記載の交換機。
【請求項８】
交換機の論理通話パスモデルをＭＥＧＡＣＯ上の通話パスモデルにマッピングする交換機マッピング方法であって、
前記交換機の論理通話パスモデルにおける構成要素の接続制御を行うことによって、多者間通話に対応する論理通話パスを設定する多者間通話制御ステップと、
接続制御する前記論理通話パスモデルにおける構成要素を、前記ＭＥＧＡＣＯ上の通信パスモデルにおける構成要素にマッピングするマッピングステップとを
含むことを特徴とする交換機マッピング方法。
【請求項９】
多者間通話制御ステップで、２者間通話中に、第３者の端末からの要求に応じて、３者間通話に対応する論理通話パスを再設定し、
マッピングステップで、再設定した前記論理通話パスにおける構成要素を、ＭＥＧＡＣＯ上の通信パスモデルにおける構成要素にマッピングすることによって、３者間通話に対応するＭＥＧＡＣＯ上の通話パスを設定する
請求項８記載の交換機マッピング方法。
【請求項１０】
交換機の論理通話パスモデルをＭＥＧＡＣＯ上の通話パスモデルにマッピングするための交換機マッピング用プログラムであって、
コンピュータに、
前記交換機の論理通話パスモデルにおける構成要素の接続制御を行うことによって、多者間通話に対応する論理通話パスを設定する多者間通話制御処理と、
接続制御する前記論理通話パスモデルにおける構成要素を、前記ＭＥＧＡＣＯ上の通信パスモデルにおける構成要素にマッピングするマッピング処理とを
実行させるための交換機マッピング用プログラム。
【請求項１１】
コンピュータに、
多者間通話制御処理で、２者間通話中に、第３者の端末からの要求に応じて、３者間通話に対応する論理通話パスを再設定する処理を実行させ、
マッピング処理で、再設定した前記論理通話パスにおける構成要素を、ＭＥＧＡＣＯ上の通信パスモデルにおける構成要素にマッピングすることによって、３者間通話に対応するＭＥＧＡＣＯ上の通話パスを設定する処理を実行させる
請求項１０記載の交換機マッピング用プログラム。
【発明の詳細な説明】
【技術分野】
【０００１】
本発明は、既存交換機の論理通話パスモデルをＭＥＧＡＣＯ（Media Gateway Control ）上の通話パスモデルにマッピングする交換機マッピングシステム、交換機マッピング方法、及び交換機マッピング用プログラムに関する。また、本発明は、交換機マッピング方法を用いた交換機に関する。
【背景技術】
【０００２】
通信端末間の交換制御を行う関連技術として、例えば、特許文献１には、基本機能に加えて種々の付加通信サービスを提供できる付加サービス制御装置が記載されている。また、例えば、特許文献２には、呼処理を行う呼処理ユニットからの接続制御情報に基づいて、ＭＥＧＡＣＯに基づくメディアゲートウェイでのメディアストリームの接続、確率及び解放を制御するソフトウェア呼制御方法が記載されている。
【０００３】
【特許文献１】特開平９−２００３４５号公報（段落００４７、図３）
【特許文献２】特開２００６−１８６９８２号公報（段落００２０、図５−６）
【発明の開示】
【発明が解決しようとする課題】
【０００４】
図６は、交換機の論理通話パス（PATH）モデルを示すブロック図である。図６において、交換機は、基本コネクション制御機能と、サービスコネクション制御機能とを備える。基本コネクション制御（制御範囲は、図６に示す範囲９２２２）は、論理端子９２１１、及び論理部局間中継器９２１２を制御する機能である。また、サービスコネクション制御機能（制御範囲は、図６に示す範囲９２２１）は、論理端子９２１１、論理部局間中継器９２１２、及びミキシングトランク９２１３の制御を行う機能である。そのような機能を備えることによって、３者間通話等の付加サービスの提供を行うことができる。
【０００５】
交換機は、上記の論理端子９２１１、論理部局間中継器９２１２、及びミキシングトランク９２１３のような機器を制御し、論理通話パスを設定する。しかし、交換機は、発信と着信とを分離して制御している。そのため、交換機は、２者間の論理通話パス制御を行う基本コネクション制御と、３者間通話等の付加的なサービスを実現するための論理通話パス制御であるサービスコネクション制御との２つの通話パス制御を実行している。そのように、交換機は、２つの通話パス制御方式を組み合わせることによって、論理通話パス制御を実現している。
【０００６】
つまり、２者通話を実現する基本コネクション制御対象範囲９２２２と３者間通話を実現するサービスコネクション制御対象範囲９２２１との範囲が異なるものの、交換機は、各制御の相互作用により交換機の論理通話パス制御を実現している。また、交換機は、専用のハードウェア上で２つの論理通話パス制御の処理内容を、ソフトウェア制御により動作することにより、論理通話パスモデルを実現している。また、そのようにすることにより、交換機は、論理通話パスモデルを、ハードウェアを制御することによって実現している。
【０００７】
一方、図７は、ＩＰ電話サービス等に用いられるＭＥＧＡＣＯ上の通話パスを示すブロック図である。図７に示すように、ＭＥＧＡＣＯ上の通話パスは、発信及び着信の接続端子となるターミネーション９３１１（Termination ）、端子間の接続内容であるトポロジー９３１２（topology）、及び通話パス全体を示すコンテキスト９３１３（Context ）の３つの要素から主に成り立っている。
【０００８】
しかし、図６に示す交換機の論理通話パスモデルでは、ＭＥＧＡＣＯにおけるコンテキストのような通話パス全体を管理する要素が存在しない。そのため、既存交換機の論理通話パスモデルとＭＥＧＡＣＯ上の通話パスモデルとの間で相互に通話できるようにしたとしても、交換機で実現されているサービスを提供することができなくなる場合がある。
【０００９】
具体的には、ソフトウェア制御による論理通話パス制御装置（Media Gateway Controller）と、通話パスのハードウェアとなる通話パスのスイッチ（Switch）装置（Media Gateway ）を分離し、かつ通話パスのスイッチ装置がＭＥＧＡＣＯプロトコルにより制御されるようにする。この場合に、図６に示す交換機の論理通話パスモデルでは、ＭＥＧＡＣＯプロトコルのコンテキストに相当する全論理通話パスを一意に扱う手法が存在しない。そのため、交換機で実現されているサービスを提供することができなくなる場合がある。
【００１０】
このように、図６に示すような交換機の通話パス制御では専用ハードウェア上で動作することが前提となっているので、論理通話パス制御装置と通話パスのスイッチ装置とを分離したシステム構成とした場合には種々の課題がある。
【００１１】
特許文献１及び特許文献２に記載された関連技術を組み合わせれば、基本機能及び付加サービス機能を備えた交換機において、接続制御情報に基づいて、ＭＥＧＡＣＯに基づくメディアゲートウェイでのメディアストリームの接続、確率及び解放を制御することができる。そのようにすることによって、既存交換機の論理通話パスモデルとＭＥＧＡＣＯ上の通話パスモデルとの間で相互に通話できるようにした場合に、交換機で実現されている付加サービスをある程度提供することができる。
【００１２】
しかし、特許文献１及び特許文献２に記載された関連技術を組み合わせたとしても、交換機の通話パス設定を、２つの通話パス制御の相互作用により実現できるにすぎない。そのため、多者間の通話パスをＭＥＧＡＣＯプロトコルに適用して１つコンテキストで扱うように構成することはできず、交換機で実現されている多者間通話等のより高度な付加サービスを提供することはできない。
【００１３】
そこで、本発明は、論理通話パス制御装置と通話パスのスイッチ装置とを分離した構成とした場合であっても、交換機の論理通話パス制御による高度な付加サービスを提供できる交換機マッピングシステム、交換機、交換機マッピング方法、及び交換機マッピング用プログラムを提供することを目的とする。
【課題を解決するための手段】
【００１４】
本発明による交換機マッピングシステムは、交換機の論理通話パスモデルをＭＥＧＡＣＯ上の通話パスモデルにマッピングする交換機マッピングシステムであって、交換機の論理通話パスモデルにおける構成要素の接続制御を行うことによって、多者間通話に対応する論理通話パスを設定する多者間通話制御手段と、多者間通話制御手段が接続制御する論理通話パスモデルにおける構成要素を、ＭＥＧＡＣＯ上の通信パスモデルにおける構成要素にマッピングするマッピング手段とを備えたことを特徴とする。
【００１５】
本発明による交換機は、交換機の論理通話パスモデルをＭＥＧＡＣＯ上の通話パスモデルにマッピングする交換機マッピング方法を用いた交換機であって、交換機の論理通話パスモデルにおける構成要素の接続制御を行うことによって、多者間通話に対応する論理通話パスを設定する多者間通話制御手段と、多者間通話制御手段が接続制御する論理通話パスモデルにおける構成要素を、ＭＥＧＡＣＯ上の通信パスモデルにおける構成要素にマッピングするマッピング手段とを備えたことを特徴とする。
【００１６】
本発明による交換機マッピング方法は、交換機の論理通話パスモデルをＭＥＧＡＣＯ上の通話パスモデルにマッピングする交換機マッピング方法であって、交換機の論理通話パスモデルにおける構成要素の接続制御を行うことによって、多者間通話に対応する論理通話パスを設定する多者間通話制御ステップと、接続制御する論理通話パスモデルにおける構成要素を、ＭＥＧＡＣＯ上の通信パスモデルにおける構成要素にマッピングするマッピングステップとを含むことを特徴とする。
【００１７】
本発明による交換機マッピング用プログラムは、交換機の論理通話パスモデルをＭＥＧＡＣＯ上の通話パスモデルにマッピングするための交換機マッピング用プログラムであって、コンピュータに、交換機の論理通話パスモデルにおける構成要素の接続制御を行うことによって、多者間通話に対応する論理通話パスを設定する多者間通話制御処理と、接続制御する論理通話パスモデルにおける構成要素を、ＭＥＧＡＣＯ上の通信パスモデルにおける構成要素にマッピングするマッピング処理とを実行させるためのものである。
【発明の効果】
【００１８】
本発明によれば、論理通話パス制御装置と通話パスのスイッチ装置とを分離した構成とした場合であっても、交換機の論理通話パス制御による高度な付加サービスを提供することができる。
【発明を実施するための最良の形態】
【００１９】
以下、本発明の実施形態を図面を参照して説明する。まず、本発明による交換機マッピングシステムの概念を説明する。本発明は、既存交換機の論理通話パスモデルにおいて、ＭＥＧＡＣＯプロトコルのコンテキストに相当する全論理通話パスを一意に扱うコンテキスト管理制御機能を備える。そして、論理通話パスモデルの構成要素である論理端子、論理部局間中継器及びミキシングトランクを、ＭＥＧＡＣＯ上の通話パスモデルの構成要素であるターミネーション、トポロジー及びコンテキストにマッピング可能としたことを特徴とする。
【００２０】
図１は、本発明による交換機マッピングシステムの概念を説明するための説明図である。図１に示すように、交換機は、通話パスの制御装置１１１（Media Gateway Controller）と、通話パスを切り替えるスイッチ装置１３１（Media Gateway ）とを含む。
【００２１】
交換機は、基本コネクション制御１１３により、発信及び着信用の端子を示す論理端子１２１，１２３，１２５と、論理端子１２１，１２３，１２５間を繋ぐ論理部局間中継器１２２とを制御する。そのようにすることによって、交換機は、発信及び着信間の個々の論理通話パスを制御する。なお、基本コネクション制御１１３の対象範囲は、図１に示す範囲１１８である。
【００２２】
また、交換機は、サービスコネクション制御１１２により、通話をミキシングするトランク１２４、発側論理端子１２１，１２３間、及び論理部局間中継器１２２を制御し接続を行うことによって、３者間通話を実現する。なお、サービスコネクション制御１１２の対象範囲は、図１に示す範囲１１７である。
【００２３】
以上に示す制御内容が、交換機の論理通話パス制御の内容である。この場合に、図１に示すように、ソフトウェア制御による論理通話パス制御装置１１１と、通話パスのハードウェアとなる通話パスのスイッチ装置１３１とを分離し、かつ通話パスのスイッチ装置１３１がＭＥＧＡＣＯプロトコルを用いて制御されるものとする。一般に、交換機の論理通話パスモデルをそのまま用いると、ＭＥＧＡＣＯプロトコルのコンテキストに相当する全論理通話パスを一意に扱う手法が存在しない。そのため、交換機で実現されている多者間通話等の高度な付加サービスを提供することができない。
【００２４】
そこで、本発明は、図１に示すように、コンテキスト管理制御１１４を行える機能を備えたことが特徴である。交換機は、コンテキスト管理制御１１４により、基本コネクション制御１１３で扱う論理端子１２１，１２３，１２５及び論理部局間中継器１２２と、サービスコネクション制御１１２で扱う論理端子１２１，１２３、論理部局間中継器１２２及びミキシングトランク１２４との内容を、一意に扱えるように機能する。なお、コンテキスト管理制御１１４の対象範囲は、図１に示す範囲１１６である。
【００２５】
上記のように制御することによって、本発明では、論理通話パスの制御装置１１１と通話パスのスイッチ装置１３１とを分離したモデルにおいて、論理通話パスの制御装置１１１内にコンテキスト管理制御１１４の機能を設定する。そのようにすることにより、基本コネクション制御１１３及びサービスプロトコル制御１１２で扱う論理端子１２１，１２３，１２５、論理部局間中継器１２２及びミキシングトランク１２４の内容を、コンテキスト管理制御１１４の機能により一意に扱えるようにする。そして、ＭＥＧＡＣＯプロトコル１４１を用いて、通話パスのスイッチ装置１３１を制御できるようにしたことによって、既存交換機で実現されている高度な付加サービスを提供できるようにする。
【００２６】
次に、交換機マッピングシステムの具体的な構成について説明する。図２は、本発明による交換機マッピング方法を用いた交換機の構成例を示すブロック図である。図２に示すように、交換機は、交換機の論理通話パス制御を行う制御装置４１１と、通話パスの物理スイッチ装置４３１とを含む。また、図２に示す交換機の構成において、通話パスの各種制御機能ブロック及び通話パスの各種構成要素が示されている。
【００２７】
図２に示すように、制御装置４１１は、基本コネクション制御部４１３、サービスコネクション制御部４１２、コンテキスト管理制御部４１４、及びＭＥＧＡＣＯ通信プロトコルドライバ４１５を含む。なお、基本コネクション制御部４１３、サービスコネクション制御部４１２、及びコンテキスト管理制御部４１４は、例えば、交換機が搭載する制御プログラムに従って動作する交換機の制御部によって実現される。また、例えば、基本コネクション制御部４１３、サービスコネクション制御部４１２、及びコンテキスト管理制御部４１４は、各種制御回路によって実現されてもよい。
【００２８】
基本コネクション制御部４１３は、発信及び着信の端子を示す論理端子４２１，４２４，４２５と、論理端子４２１，４２４，４２５間を繋ぐ論理部局間中継器４２２とを制御し、発信及び着信間の個々の論理通話パスを制御する機能を備える。なお、基本コネクション制御部４１３の対象範囲は、図２に示す範囲４１７である。
【００２９】
サービスコネクション制御部４１２は、通話をミキシングするトランク４２３、発信側論理端子４２１，４２５間及び論理部局間中継器４２２を制御し接続を行うことによって、３者間通話を実現する機能を備える。なお、サービスコネクション制御部４１２の対象範囲は、図２に示す範囲４１６である。
【００３０】
コンテキスト管理制御部４１４は、サービスコネクション制御部４１２や基本コネクション制御部４１３が管理する交換機の論理通話パスモデルにおける論理端子４２１，４２４，４２５、論理部局間中継器４２２及びミキシングトランク４２３を、通話パスのスイッチ装置４３１で扱うコンテキスト４３４、ターミネーション４３２及びトポロジー４３３にマッピングし、それらを一括して管理する機能を備える。例えば、コンテキスト管理制御部４１４は、マッピングした論理端子４２１，４２４，４２５、論理部局間中継器４２２及びミキシングトランク４２３と、コンテキスト４３４、ターミネーション４３２及びトポロジー４３３とを、メモリ等の記憶装置（図示せず）に対応付けて記憶することによって、マッピングしたそれらの構成要素を管理する。
【００３１】
また、コンテキスト管理制御部４１４は、通話パスのスイッチ装置制御に必要となるコンテキスト４３４、ターミネーション４３２及びトポロジー４３３を作成する機能を備える。また、コンテキスト管理制御部４１４は、作成したコンテキスト４３４、ターミネーション４３２及びトポロジー４３３を用いて、ＭＥＧＡＣＯ通信プロトコルドライバ４１５を経由して、ＭＥＧＡＣＯプロトコル４４１により、通話パスのスイッチ装置４３１を制御する機能を備える。
【００３２】
ＭＥＧＡＣＯ通信プロトコルドライバ４１５は、論理通話パスの制御装置４１１から通話パスのスイッチ装置４３１に対して通信を行うためのドライバである。
【００３３】
論理端子４２１，４２４，４２５は、通話パスを構成する端子である。また、論理部局間中継器４２２は、論理端子４２１，４２４，４２５間を繋ぐ（接続する）仮想的な中継器である。
【００３４】
スイッチ装置４３１は、具体的には、メディアゲートウェイ（Media Gateway ）によって実現される。スイッチ装置４３１は、一般によく知られたメディアゲートウェイとしての機能を備え、例えば、ＩＰネットワーク間のゲートウェイとして音声データの交換処理を行う機能を備える。
【００３５】
また、本実施形態において、基本コネクション制御部４１３や、コンテキスト管理制御部４１４、コンテキスト管理制御部４１４が制御プログラムによって実現される場合、交換機の記憶装置（図示せず）は、既存交換機の論理通話パスモデルをＭＥＧＡＣＯ上の通話パスモデルへマッピングするための各種プログラムを記憶している。例えば、交換機の記憶装置は、コンピュータに、交換機の論理通話パスモデルにおける構成要素の接続制御を行うことによって、多者間通話に対応する論理通話パスを設定する多者間通話制御処理と、接続制御する論理通話パスモデルにおける構成要素を、ＭＥＧＡＣＯ上の通信パスモデルにおける構成要素にマッピングするマッピング処理とを実行させるための交換機マッピング用プログラムを記憶している。
【００３６】
次に、動作について説明する。本実施形態では、以下、２者通話をしている状態において、第３者が既存の２者通話の話者との通話に参加し３者通話を実現する場合を説明する。図３は、２者通話をしている状態において、第３者が既存の２者通話の話者との通話に参加し３者通話を実現する場合を説明するための説明図である。また、図４は、２者通話をしている状態から３者通話に移行するまでの処理例を示すフローチャートである。
【００３７】
図３（ａ）に示すように、２者間通話を行っている状態において第３者（具体的には、第３者の通信端末）からの通話要求があると、基本コネクション制御部４１３は、第３者からの要求に基づいて、新規の論理端子５１４（図３（ａ）参照）を取得する（図４に示すステップＳ６０１）。なお、本実施形態では、論理端子やターミネーションを取得する等の表現を用いるが、具体的には、新規の論理端子やターミネーションの割り当て処理を行うことである。
【００３８】
次いで、コンテキスト管理制御部４１４は、コンテキスト管理制御部４１４で現在把握している既存コンテキストと、新規の論理端子５１４（図３（ａ）参照）とをマッピングする。また、コンテキスト管理制御部４１４は、通話パスのスイッチ装置４３１に、既存コンテキストを送信するとともに、新規ターミネーション５２４（図３（ｂ）参照）の取得を要求する（図４に示すステップＳ６０２）。すると、スイッチ装置４３１は、制御装置４１１からの要求に応じて、新規のターミネーション５２４を割り当て、割り当てたターミネーション５２４を示す情報を制御装置４１１に送信する。
【００３９】
次いで、論理通話パスの制御装置４１１は、通話パスのスイッチ装置４３１から新規のターミネーション５２４（図３（ｂ）参照）の取得結果を受信する（図４に示すステップＳ６０３）。すると、コンテキスト管理制御部４１４は、新規のターミネーション５２４（図３（ｂ）参照）と既存コンテキストとの対応付けを行う（図４に示すステップＳ６０４）。
【００４０】
上記の処理に従って、コンテキスト制御管理部４１４は、ステップＳ６０２〜Ｓ６０４の処理を終了する。すると、基本コネクション制御部４１３は、さらに新規の論理端子５３４（図３（ｃ）参照）を割り当てる。そして、基本コネクション制御部４１３は、論理部局間中継器５４３（図３（ｃ）参照）を経由して、一旦ミキシングトランク５５１（図３（ｃ）参照）の論理端子５３７（図３（ｃ）参照）と、新規の論理端子５３４との論理通話パスを設定する（図４に示すステップＳ６０５）。
【００４１】
次いで、新規の論理端子５３４がミキシングトランク５５１（図３（ｃ）参照）に論理通話パス接続されると、サービスコネクション制御部４１２は、通話パス再設定を実行する（図４に示すステップＳ６０６）。そのように処理することによって、論理通話パスモデルの側では、図３（ｃ）に示すように、３者間通話に対応する論理通話パスが設定された状態となる。
【００４２】
図３（ｃ）に示す論理通話パスが設定されただけでは、全論理通話パスを一意の内容（コンテキスト相当）にすることができない。そのため、コンテキスト管理制御部４１４は、以下に示す端子間の３つの接続論理通話パスに基づいて、ＭＥＧＡＣＯによるトポロジー要素を作成する（図４に示すステップＳ６０７）。
【００４３】
コンテキスト管理制御部４１４は、論理端子５３２（図３（ｃ）参照）と論理端子５３３（図３（ｃ）参照）とは、論理部局間中継器５４１（図３（ｃ）参照）、ミキシングトランクの論理端子５３５（図３（ｃ）参照）、ミキシングトランク５５１（図３（ｃ）参照）、ミキシングトランクの論理端子５３６（図３（ｃ）参照）、及び論理部局間中継器５４２（図３（ｃ）参照）で構成される論理通話パスによって接続されると認識する。
【００４４】
同様に、コンテキスト管理制御部４１４は、論理端子５３２（図３（ｃ）参照）と論理端子５３４（図３（ｃ）参照）とは、論理部局間中継器５４１（図３（ｃ）参照）、ミキシングトランクの論理端子５３５（図３（ｃ）参照）、ミキシングトランク５５１（図３（ｃ）参照）、ミキシングトランクの論理端子５３７（図３（ｃ）参照）、及び論理部局間中継器５４３（図３（ｃ）参照）で構成される論理通話パスによって接続されると認識する。
【００４５】
また、コンテキスト管理制御部４１４は、論理端子５３４（図３（ｃ）参照）と論理端子５３３（図３（ｃ）参照）とは、論理部局間中継器５４３（図３（ｃ）参照）、ミキシングトランクの論理端子５３７（図３（ｃ）参照）、ミキシングトランク５５１（図３（ｃ）参照）、ミキシングトランクの論理端子５３６（図３（ｃ）参照）、及び論理部局間中継器５４２（図３（ｃ）参照）で構成される論理通話パスによって接続されると認識する。
【００４６】
次いで、コンテキスト管理制御部４１４は、ステップＳ６０７で再作成したトポロジーを、コンテキストに対応付けを行う（図４に示すステップＳ６０８）。次いで、コンテキスト管理制御部４１４は、対応付けたトポロジーとコンテキストとの内容を通話パスのスイッチ装置４３１に通知（送信）する（図４に示すステップＳ６０９）。
【００４７】
制御装置４１１からの通知を受けると、通話パスのスイッチ装置４３１は、新たなトポロジーとコンテキストとの対応関係に基づいて、図３（ｄ）に示すように、３者間通話に対応するＭＥＧＡＣＯ内通話パス５６１を作成する。また、スイッチ装置４３１は、通話パスの作成結果を論理通話パス制御装置４１１に返信する。
【００４８】
そして、制御装置４１１は、スイッチ装置４３１からの通知結果を受信すると（図４に示すステップＳ６１０）、３者間通話の論理通話パスの設定制御を終了する。
【００４９】
以上に説明したように、本実施形態によれば、他のハードウェア製品に、既存交換機の論理通話パスモデルのアーキテクチャをそのまま活用することができる。一般に、交換機の通話パス制御を行う場合、交換機専用のハードウェア上で実現された論理通話パスモデルが用いられる。そのため、一般に、他のハードウェア製品に、既存交換機の論理通話パスモデルのアーキテクチャをそのまま活用することができないという問題がある。
【００５０】
これに対して、本実施形態によれば、交換機は、論理通話パス制御を行う側にコンテキスト管理機能を備える。そのように構成することによって、他のハードウェア製品に、既存交換機の論理通話パスモデルのアーキテクチャをそのまま活用することができる。
【００５１】
また、本実施形態によれば、論理通話パス制御を行う側にコンテキスト管理機能を備えることによって、多者間の通話パスを１つのコンテキストを用いて扱い、ＭＥＧＡＣＯプロトコル上のパラメータにマッピングすることができる。特に、本実施形態によれば、サービスコネクション制御部４１２は、交換機の論理通話パスモデルにおける構成要素の接続制御を行うことによって、３者間通話に対応する論理通話パスを設定する。そして、コンテキスト管理制御部４１４は、サービスコネクション制御部４１２が接続制御する論理通話パスモデルにおける構成要素を、ＭＥＧＡＣＯ上の通信パスモデルにおける構成要素にマッピングする。そのように構成することによって、論理通話パス制御装置と通話パスのスイッチ装置とを分離した構成とした場合であっても、交換機の論理通話パス制御による多者間通話等の高度な付加サービスを提供することができる。
【００５２】
例えば、一般に、交換機の通話パス制御方式とＭＥＧＡＣＯプロトコルにおける通話パスとの取扱いに違いがあるので、交換機で提供されていた付加サービスを、交換機の通話パス制御の論理モデルをそのまま用いただけでは実現できないという問題がある。本実施形態によれば、論理通話パス制御を行う側にコンテキスト管理機能を有し、交換機で提供されている付加サービス制御を保持したまま、論理通話パス制御装置４１１と通話パスのスイッチ装置４３１とをノード分離することができる。
【００５３】
以上のように、本実施形態では、交換機の論理通話パスモデルになく、ＭＥＧＡＣＯ上の通話パスモデルにはあるコンテキストを定義及び管理する機能ブロック（コンテキスト管理制御部４１４）を設ける。そのようにすることにより、論理通話パス制御装置４１１と通話パスのスイッチ装置４３１とを分離した構成とした場合であっても、交換機の論理通話パス制御による高度な付加サービスを提供することができる。
【００５４】
なお、本実施形態では、コンテキスト管理機能とＭＥＧＡＣＯ通信ドライバとを機能分離することによって、既存交換機の論理通話パス制御（基本コネクション及びサービスコネクション）の移植性を高めている。しかし、コンテキスト管理機能及びＭＥＧＡＣＯ通信ドライバの機能モジュールを統合及び集約して構成するようにしてもよい。
【００５５】
次に、本発明による交換機マッピングシステムの最小構成について説明する。図５は、交換機マッピングシステムの最小の構成例を示すブロック図である。図５に示すように、交換機マッピングシステムは、最小の構成要素として、サービスコネクション制御部４１２と、コンテキスト管理制御部４１４とを含む。
【００５６】
図５に示す最小構成の交換機マッピングシステムにおいて、サービスコネクション制御部４１２は、交換機の論理通話パスモデルにおける構成要素の接続制御を行うことによって、多者間通話に対応する論理通話パスを設定する機能を備える。また、コンテキスト管理制御部４１４は、サービスコネクション制御部４１２が接続制御する論理通話パスモデルにおける構成要素を、ＭＥＧＡＣＯ上の通信パスモデルにおける構成要素にマッピングする機能を備える。
【００５７】
図５に示す最小構成の交換機マッピングシステムによれば、論理通話パス制御装置と通話パスのスイッチ装置とを分離した構成とした場合であっても、交換機の論理通話パス制御による多者間通話等の高度な付加サービスを提供することができる。
【００５８】
なお、本実施形態では、以下の（１）〜（５）に示すような交換機マッピングシステムの特徴的構成が示されている。
【００５９】
（１）交換機マッピングシステムは、交換機の論理通話パスモデルをＭＥＧＡＣＯ上の通話パスモデルにマッピングする交換機マッピングシステムであって、交換機の論理通話パスモデルにおける構成要素の接続制御を行うことによって、多者間通話に対応する論理通話パスを設定する多者間通話制御手段（例えば、サービスコネクション制御部４１２によって実現される）と、多者間通話制御手段が接続制御する論理通話パスモデルにおける構成要素を、ＭＥＧＡＣＯ上の通信パスモデルにおける構成要素にマッピングするマッピング手段（例えば、コンテキスト管理制御部４１４によって実現される）とを備えたことを特徴とする。
【００６０】
（２）多者間通話制御手段は、２者間通話中に、第３者の端末からの要求に応じて、３者間通話に対応する論理通話パスを再設定し、マッピング手段は、多者間通話制御手段が再設定した論理通話パスにおける構成要素を、ＭＥＧＡＣＯ上の通信パスモデルにおける構成要素にマッピングすることによって、３者間通話に対応するＭＥＧＡＣＯ上の通話パスを設定するように構成されていてもよい。
【００６１】
（３）マッピング手段は、論理通話パスモデルにおける論理素子、論理部局間中継器及びミキシングトランクを、ＭＥＧＡＣＯ上の通話パスモデルにおけるコンテキスト、ターミネーション及びトポロジーにマッピングするように構成されていてもよい。
【００６２】
（４）交換機マッピングシステムは、交換機の論理通話パスモデルにおける構成要素の接続制御を行うことによって、発信側と着信側との論理通話パスを設定する基本接続制御手段（例えば、基本コネクション制御部４１３によって実現される）を備え、マッピング手段は、多者間通話制御手段及び基本接続制御手段が接続制御する論理通話パスモデルにおける構成要素を、ＭＥＧＡＣＯ上の通信パスモデルにおける構成要素にマッピングするように構成されていてもよい。
【００６３】
（５）交換機マッピングシステムは、交換機の論理通話パスモデルを制御する論理通話パス制御ノード（例えば、制御装置４１１によって実現される）と、論理通話パス制御ノードとは別ノードとして、ＭＥＧＡＣＯ上の通話パスモデルを制御する通話パス制御ノード（例えば、スイッチ装置４３１によって実現される）とを備えるように構成されていてもよい。
【産業上の利用可能性】
【００６４】
本発明は、既存交換機及びＭＥＧＡＣＯを用いたシステムにおいて多者間通話を行う用途に適用できる。
【図面の簡単な説明】
【００６５】
【図１】本発明による交換機マッピングシステムの概念を説明するための説明図である。
【図２】本発明による交換機マッピング方法を用いた交換機の構成例を示すブロック図である。
【図３】２者通話をしている状態において、第３者が既存の２者通話の話者との通話に参加し３者通話を実現する場合を説明するための説明図である。
【図４】２者通話をしている状態から３者通話に移行するまでの処理例を示すフローチャートである。
【図５】交換機マッピングシステムの最小の構成例を示すブロック図である。
【図６】交換機の論理通話パスモデルを示すブロック図である。
【図７】ＩＰ電話サービス等に用いられるＭＥＧＡＣＯ上の通話パスを示すブロック図である。
【符号の説明】
【００６６】
４１１  制御装置
４１２  サービスコネクション制御部
４１３  基本コネクション制御部
４１４  コンテキスト管理制御部
４１５  ＭＥＧＡＣＯ通信プロトコルドライバ
４２１，４２４，４２５  論理端子
４２２  論理部局間中継器
４２３  ミキシングトランク
４３１  スイッチ装置
４３２  ターミネーション
４３３  トポロジー
４３４  コンテキスト
【図１】
2009200540.tif 000003
【図２】
2009200540.tif 000004
【図３】
2009200540.tif 000005
【図４】
2009200540.tif 000006
【図５】
2009200540.tif 000007
【図６】
2009200540.tif 000008
【図７】
2009200540.tif 000009